(57)【要約】      （修正有）【課題】床スラブの開口部を送風用ダクトやポンプ用ホースの挿通口に使用する際、バリケード等の設置が不要で、且つ、作業員の墜落を防止し安全を確保できる床開口部用蓋の提供。【解決手段】床開口部用蓋３は、建築構造物の床面に開口した床開口部を覆う板状の蓋本体４と、蓋本体４を床開口部に位置決め又は固定するための取付け手段５とを備え、蓋本体４には、開口面積の異なる孔状又は切欠き状の複数の作業用口６，７と、各作業用口６，７を開閉可能に閉鎖する開閉扉８，９とを備えている。【選択図】図１
0003196087.tif 000002
【実用新案登録請求の範囲】
【請求項１】
建築構造物の床面に開口した床開口部を覆う板状の蓋本体と、該蓋本体を前記床開口部に位置決め又は固定するための取付け手段とを備えている床開口部用蓋において、
前記蓋本体には、開口面積の異なる孔状又は切欠き状の複数の作業用口と、該各作業用口を開閉可能に閉鎖する開閉扉とを備えていることを特徴とする床開口部用蓋。
【請求項２】
前記各作業用口は、前記蓋本体周縁に外側に開口して切欠いた形状に形成され、前記開閉扉は、一端を前記蓋本体に回動可能に支持させ、他端を前記床開口部縁に支持させるようにしている請求項１に記載の床開口部用蓋。
【請求項３】
前記開閉扉には、孔状又は切欠状の指入れ部を備えている請求項１又は２に記載の床開口部用蓋。
【考案の詳細な説明】
【技術分野】
【０００１】
本考案は、建築構造物の構築に際し、資材運搬や人の出入り等のために床部に設けられた開口を封鎖するための床開口部用蓋に関する。
【背景技術】
【０００２】
一般的に、鉄筋コンクリート造等の建築構造物では、その構築時に床スラブに隔てられた各階層間での資材搬入や作業員の出入りの為に床スラブに、床面に開口した床開口部が設けられている。
【０００３】
また、この床開口部は、床スラブ上に設置された送風機から床下に空気を送り込むための送風用ダクトや配管等にも使用される床下空間（以下、ピットという）に溜まった水を床スラブ上に排出するためのポンプ用ホース等の挿通口としても使用されている。
【０００４】
構築時において、このような開口部は、落下防止のためにベニヤ板等からなる簡易蓋を被せておき、適宜この簡易蓋を取り外し、資材の搬送、作業員の出入り又は送風用ダクトやポンプ用ホース等の挿通口として使用している（例えば、特許文献１を参照）。
【先行技術文献】
【特許文献】
【０００５】
【特許文献１】実開平７−３８２４７号公報
【考案の概要】
【考案が解決しようとする課題】
【０００６】
しかしながら、上述の如き従来の技術では、開口部に比べて小径の送風用ダクトやポンプ用ホース等を通す場合であっても、作業の度に簡易蓋の撤去及び再設置が必要であるため、作業が煩雑で作業効率が悪いという問題があった。
【０００７】
また、作業中は、簡易蓋を取り外して開口部全体が開かれた状態にあるので、開口部から誤って作業員や資材が墜落するおそれがあり、開口部の周囲にバリケード等の養生材を設置して開口部を養生する必要があった。
【０００８】
また、バリケード等の養生材を設置する場合、設置したバリケード等の養生材が邪魔となり作業が阻害されるという問題があり、また、作業を行う毎にバリケード等の設置及び撤去を行わければならならず煩雑であるという問題があった。
【０００９】
そこで、本考案は、このような従来の問題に鑑み、床スラブの開口部を送風用ダクトやポンプ用ホースの挿通口に使用する際、バリケード等の設置が不要で、且つ、作業員の墜落を防止し安全を確保できる床開口部用蓋の提供を目的としてなされたものである。
【課題を解決するための手段】
【００１０】
請求項1に記載の考案の特徴は、建築構造物の床面に開口した床開口部を覆う板状の蓋本体と、該蓋本体を前記床開口部に位置決め又は固定するための取付け手段とを備えている床開口部用蓋において、前記蓋本体には、開口面積の異なる孔状又は切欠き状の複数の作業用口と、該各作業用口を開閉可能に閉鎖する開閉扉とを備えている床開口部用蓋にある。
【００１１】
請求項２に記載の考案の特徴は、請求項１の構成に加え、前記各作業用口は、前記蓋本体周縁に外側に開口して切欠いた形状に形成され、前記開閉扉は、一端を前記蓋本体に回動可能に支持させ、他端を前記床開口部縁に支持させるようにしていることにある。
【００１２】
請求項３に記載の考案の特徴は、請求項１又は２の構成に加え、前記開閉扉には、孔状又は切欠状の指入れ部を備えていることにある。
【考案の効果】
【００１３】
本考案に係る床開口部用蓋においては、築構造物の床面に開口した床開口部を覆う板状の蓋本体と、該蓋本体を前記床開口部に位置決め又は固定するための取付け手段とを備えている床開口部用蓋において、前記蓋本体には、開口面積の異なる孔状又は切欠き状の複数の作業用口と、該各作業用口を開閉可能に閉鎖する開閉扉とを備えていることにより、床スラブに設けられた床開口部を送風用ダクトやポンプ用ホースの挿通口として使用する際、開口部の周囲にバリケード等の養生材を設置せずとも、床開口部からの作業員や資材の墜落を防止することができる。
【００１４】
また、本考案において、前記各作業用口は、前記蓋本体周縁に外側に開口して切欠いた形状に形成され、前記開閉扉は、一端を前記蓋本体に回動可能に支持させ、他端を前記床開口部縁に支持させるようにしていることにより、開閉扉を閉じた際、開閉扉の両端がそれぞれ支持され、安定した状態で床開口部を閉鎖することができる。
【００１５】
更に、本考案において、前記開閉扉には、孔状又は切欠状の指入れ部を備えていることにより、扉を閉めた状態においては、開閉扉の表面に突起部分が形成されないので、作業員や資機材運搬台車の通行を妨げることがなく、扉の開閉時においては、指入れ部に指を入れて容易に開閉動作を行うことができる。
【図面の簡単な説明】
【００１６】
【図１】（ａ）は本考案に係る床開口部用蓋の一例を示す斜視図、（ｂ）は同下面側から見た斜視図である。
【図２】（ａ）は同上の床開口部用蓋の使用状態の一例を示す平面図、（ｂ）は同縦断面図である。
【図３】本考案に係る床開口部用蓋の開閉扉部分を示す平面図であって、（ａ）は孔状の指入れ部を備えたもの、（ｂ）は切欠き状の指入れ部を備えたものを示す図である。
【考案を実施するための形態】
【００１７】
次に、本考案に係る床開口部用蓋の実施形態を図１〜図３に示した実施例に基づいて説明する。尚、図中符号１は建築構造物の床を構成する床スラブ、符号２は床スラブ１の床面に開口した床開口部、符号３は床開口部２を閉鎖するための床開口部用蓋である。
【００１８】
床開口部用蓋３は、床開口部２を覆う板状の蓋本体４と、蓋本体４を床開口部２に位置決めするための取付け手段５とを備え、床開口部２に被せて構築時における作業員や資材の墜落を防止するものである。
【００１９】
この床開口部用蓋３は、床開口部２より適宜取り外すことで床開口部２が全面開放され、資材の搬送口等として使用できるようにしている。
【００２０】
蓋本体４は、アルミニウム合金製の板材により床開口部２より一回り大きな形状に形成され、蓋本体４を床開口部２に被せた際、その外周部が床開口部２周縁の床面に支持されるようになっている。
【００２１】
尚、建築構造物の床スラブ１に設けられる床開口部２は、一定の大きさ（例えば、６００×６００ｍｍ）の矩形孔状に形成される場合が多く、蓋本体４は、それに合わせて床開口部２より一回り大きな矩形状に形成されている。
【００２２】
また、蓋本体４には、開口面積の異なる複数の作業用口６，７と、各作業用口６，７を開閉可能に閉鎖する開閉扉８，９とを備え、床開口部用蓋３を取り外すことなく各作業用口６，７を通して送風用ダクト１０やポンプ用ホースを床開口部２に通すことができる。
【００２３】
各作業用口６，７は、それぞれ蓋本体４周縁の外側に開口して切欠いた形状に形成されている。本実施例では、送風用ダクト１０等の比較的大径の管体を通す大作業用口６と、ポンプ用ホース等の比較的小径の管体を通すための小作業用口７とを備え、大小作業用口６，７は、それぞれ蓋本体４の外側縁を切欠いた矩形凹状に形成されている。
【００２４】
開閉扉８，９は、大小各作業用口６，７の形状に合わせて矩形状に形成され、床開口部２の縁と平行に配置された側の端部を蓋本体４の各作業用口６，７の開口縁部にヒンジ１１を介して回動可能に支持させている。
【００２５】
尚、各開閉扉８，９には、作業用口６，７を形成する際に蓋本体４を構成するアルミニウム合金製の板材より切り離された部分を使用してもよく、また、他の材料からなる板材によって別途設けてもよい
【００２６】
また、この開閉扉８，９は、床開口部用蓋３を床開口部２に設置した際、ヒンジ１１と反対側の端部を床開口部２の縁部に支持させるように形成され、開閉扉８，９を閉じた状態においては、各開閉扉８，９の両端がそれぞれヒンジ１１と床開口部２の縁部とに支持されるようになっている。
【００２７】
尚、特に図示しないが、各開閉扉８，９の裏面には、補強用の筋交部材を固定してもよく、送風用ダクト１０やポンプ用ホースを仮固定するためのフック等の仮固定具を取り付けておいてもよい。
【００２８】
また、各開閉扉８，９には、図３に示すように、表面に開口した孔状又は切欠状の指入れ部１２を備えるようにしてもよい。
【００２９】
この指入れ部１２は、回動半径方向にヒンジ１１から所望の距離を隔てた位置に配置され、開閉扉８，９を閉じた状態では、その表面に突起部分が形成されないので作業員や資機材運搬台車の通行を妨げることがなく、開閉動作時には、指入れ部１２に指を入れて開閉扉８，９を容易に持ち上げることができるようになっている。
【００３０】
尚、この指入れ部１２の形状は、特に限定されないが、例えば、図３（ａ）のように、指を数本差し込み可能な長孔状にしてもよく、図３（ｂ）のように、開閉扉８，９のヒンジ１１と反対側の端縁部を切り欠いた形状にしてもよい。
【００３１】
取付け手段５は、床開口部２に嵌め込まれる枠体により構成され、この枠体の上面に蓋本体４が固定され、枠体を床開口部２に嵌め込むことにより蓋本体４が床開口部２に対し位置決めされるようになっている。
【００３２】
枠体の態様は、特に限定されないが、例えば、図１（ｂ）に示すように、作業用口６，７に重なる部分に凹部５ａ，５ｂを備えて中空Ｈ型筒状を成すように形成し、作業用口６，７を通じた送風用ダクト１０やポンプ用ホースの挿入を阻害しないようにしている。
【００３３】
このように構成された床開口部用蓋３では、開閉扉８，９を閉じた状態とすると、床開口部２全体が蓋本体４に覆われ、当該床開口部２からの作業員や資材の墜落が防止されている。
【００３４】
一方、床開口部２を通して送風用ダクト１０やポンプ用ホース等を床スラブ１下に投入するには、用途に応じて開閉扉８，９を適宜選択して開き、開口した作業用口６，７を通じて送風用ダクト１０やポンプ用ホース等を挿入する。
【００３５】
その際、蓋本体４の開いている作業用口６，７以外の部分は、床開口部２の未使用部分に被さった状態にあり、また、作業用口６，７も送風用ダクト１０やポンプ用ホースによって塞がれているので、バリケード等の養生材を設置せずとも作業中の作業員や資材の墜落を好適に防止できる。
【００３６】
更には、バリケード等の養生材を設置する必要がないので、送風用ダクト１０やポンプ用ホースの設置作業やその他の作業を養生材に邪魔されずに容易に行うことができる。
【００３７】
尚、上述の実施例では、開口面積の異なる大小二つの作業用口６，７及びそれに対応した開閉扉８，９を備えた例について説明したが、作業用口６，７の数量はこれに限定されない。
【００３８】
また、各作業用口６，７の用途は、上述した送風用ダクト１０やポンプ用ホースの挿入に限定されず、各作業用口６，７を通して資材の搬入等を行ってもよい。
【符号の説明】
【００３９】
１  床スラブ
２  床開口部
３  床開口部用蓋
４  蓋本体
５  取付け手段
６  大作業用口
７  小作業用口
８  開閉扉
９  開閉扉
１０  送風用ダクト
１１  ヒンジ
１２  指入れ部
【図１】
0003196087.tif 000003
【図２】
0003196087.tif 000004
【図３】
0003196087.tif 000005